(57)【特許請求の範囲】
【請求項１】
第１の識別コードを発生する識別コード発生手段と、
順次入力される画像情報に上記第１の識別コードを対応付ける第１の制御手段と、
上記第１の制御手段によつて対応付けられた画像情報と第１の識別コードとを１組として一定期間の間記憶する記憶手段と、
上記第１の識別コードに同期した第２の識別コードを発生する外部装置より任意の値の上記第２の識別コードが与えられたとき、当該第２の識別コードの値と一定の関係を満たす最も近い値の第１の識別コードを検索し、当該第１の識別コードと組をなす画像情報を上記記憶手段より読み出す第２の制御手段と
を具えることを特徴とする時分割マルチタスク型の画像処理装置。
【請求項２】
上記外部装置が上記第２の識別コードと共に上記画像情報に対応する録画時刻情報を送るとき、
上記第２の制御手段は検出された画像情報に上記録画時刻情報を対応付ける
ことを特徴とする請求の範囲第１項に記載の時分割マルチタスク型の画像処理装置。
【請求項３】
上記第２の制御手段は検出された画像情報に対応する録画時刻情報に基づいて、当該録画時刻情報の前後の録画時間情報を複数発生し、当該複数の録画時刻情報をそれぞれ上記検出された画像情報の前後に入力された画像情報にそれぞれ対応付ける
ことを特徴とする請求の範囲第２項に記載の時分割マルチタスク型の画像処理装置。
【請求項４】
上記第２の制御手段が検出した画像情報及び画像情報の前後に入力された画像情報を表示画面上に同時に表示する表示手段
を具えることを特徴とする請求の範囲第３項に記載の時分割マルチタスク型の画像処理装置。
【請求項５】
上記第１及び第２の識別コードは、時刻情報である
ことを特徴とする請求の範囲第１項に記載の時分割マルチタスク型の画像処理装置。
【請求項６】
上記記憶手段は、最新の画像情報を先頭の記憶領域に格納し、所定の時間ごとに後段の記憶領域に順次転送するようになされたループバツフアメモリである
ことを特徴とする請求の範囲第１項に記載の時分割マルチタスク型の画像処理装置。
【請求項７】
上記第２の識別コードは、汎用のシリアル転送インターフエースを介して直接入力される
ことを特徴とする請求の範囲第１項に記載の時分割マルチタスク型の画像処理装置。
【請求項８】
画像情報を順次再生して出力する再生装置と、
上記再生装置の再生動作を制御する再生装置制御装置と、
第１の識別コードを発生する識別コード発生手段と、上記再生装置より順次入力される画像情報に上記第１の識別コードを対応付ける第１の制御手段と、上記第１の制御手段によつて対応付けられた画像情報と第１の識別コードとを１組として一定期間の間記憶する記憶手段と、上記第１の識別コードに同期した第２の識別コードを発生する上記再生装置制御装置より任意の値の上記第２の識別コードが与えられたとき、当該第２の識別コードの値と一定の関係を満たす最も近い値の第１の識別コードを検索し、当該第１の識別コードと組をなす画像情報を上記記憶手段より読み出す第２の制御手段とを備える時分割マルチタスク型の画像処理装置と
を具えることを特徴とする画像編集システム。
【発明の詳細な説明】
技術分野
本発明は画像処理装置及び画像編集システムに関する。特に、本発明は時分割タスク型の処理装置を用いて実時間再生画像の編集点を設定する画像処理装置及びこれを用いたシステムに関する。
背景技術
ビデオテープレコーダから再生される画像には時間情報としてタイムコード（「時、分、秒及びフレーム番号」又は「時、分、秒、フレーム番号及びフイールド番号」）が付されている。
通常、画像編集に用いられる画像処理装置はユーザから取り込み指示のあつた時点の画像を編集点画像としてメモリ内に取り込んで格納し、格納された編集点画像と対応するタイムコードを１組として表示するようになされている。
この際、画像処理装置は通常サイズの編集点画像を１組だけ表示するか、縮小サイズの編集点画像を複数組並べて表示することが多い。
ところでワークステーシヨンのような時分割タスク型の処理装置をこの種の画像処理装置に用いる場合、次のような問題があつた。
ワークステーシヨンは処理時間を複数のタイムスライス（Time Slice）に分割し、各タイムスライスにおいて個別のタスクを実行している。
このためユーザから取り込み指示があつてもすぐさま画像の取り込み処理を実行できず、実際に取り込まれる画像のタイムコードと取り込もうとする画像のタイムコードと間に時間的なずれが生じるのを避け得なかつた。
これを避けるためには、タイムコードリーダ等の何らかの画像取込用ハードウエアを配する必要がある。
ところがこのように何らかの画像取込用ハードウエアを設けると、画像処理装置が大型化し構成も複雑になる問題があつた。
発明の開示
本発明は上述した問題点を解決する画像処理装置及び画像編集システムに関する。
本発明において、時分割マルチタスク型の画像処理装置は、第１の識別コードを発生する識別コード発生手段と、順次入力される画像情報に第１の識別コードを対応付ける第１の制御手段と、第１の制御手段によつて対応付けられた画像情報と第１の識別コードとを１組として一定期間の間記憶する記憶手段と、第１の識別コードに同期した第２の識別コードを発生する外部装置より任意の値の第２の識別コードが与えられたとき、当該第２の識別コードの値に対して一定の関係を満たす最も近い値の第１の識別コードを検索し、当該第１の識別コードと組をなす画像情報を記憶手段より読み出す第２の制御手段を具える。
本発明の画像処理装置では、処理対象である画像情報に第１の識別コードを対応付けて記憶し、検索時には当該第１の識別コードと同期関係にある第２の識別コードを用いて検索するようにする。この結果、画像が処理される時刻が一定しない時分割マルチタスク型の画像処理装置においても必要な画像情報を確実に検出することができる。
【図面の簡単な説明】
図１は、本発明の実施例に係る画像編集システムの概略構成を示す図である。
図２は、本発明の実施例に係るビデオテープレコーダコントローラの構成を示す図である。
図３は、図２のビデオテープレコーダコントローラの処理動作の説明に供するフローチヤートである。
図４は、本発明の実施例に係るワークステーシヨンの構成を示す図である。
図５は、図４のワークステーシヨンの処理動作の説明に供するフローチヤートである。
図６は図４のワークステーシヨンの処理動作の説明に供するフローチヤートである。
発明を実施するための最良の形態
以下図面を用いて本発明に係る画像処理装置及び画像編集システムに関して詳細に説明する。なお、以下に説明する実施例では動画像がビデオテープレコーダから再生されるものとして説明する。
（１）画像編集システム
（１−１）全体構成
図１は本発明の実施例に係る画像編集システムの全体構成を示す。各部のより詳細な内部構成については次項以降において改めて説明することにする。
図１に示す画像編集システム１は、複数台のビデオテープレコーダ２〜４、これらを制御するビデオテープレコーダコントローラ５、スイツチヤ６及びワークステーシヨン７の他、デイスプレイ装置９によつて構成されている。
このうちビデオテープレコーダ２及び３の２台は動画像の再生に用いられ、ビデオテープレコーダ４は編集リスト（再生装置情報及び編集点（開始点、終了点））に基づいて編集された動画像を記録するのに用いられる。
ここでビデオテープレコーダ２及び３において再生された映像信号及び音声信号は再生信号Ｓ１及びＳ２として出力される。
ビデオテープレコーダコントローラ５は制御信号Ｓ３〜Ｓ５をビデオテープレコーダ２〜４に与えて記録／再生動作を制御する他、キーボード５Ａに設けられたマークキーによつて編集点画像の取り込み指示が入力された時点の時刻情報（グリニツジ標準時刻及びタイムコード）を制御コマンドＳ６としてワークステーシヨン７に出力するようになされている。
ここで制御コマンドＳ６はＲＳ−２３２Ｃ等のシリアル転送インターフエースを介してワークステーシヨン７に出力されるようになされている。このように制御コマンドＳ６をシリアル回線を介して送信する形態をとることにより、バスインターフエースであるネツトワーク１０のトラフイツクが多い場合にも待ち時間なく情報を伝送できるようになされている。因にこの実施例の場合、ネツトワーク１０としてイーサネツト（Ethernet）を用いる。
またビデオテープレコーダコントローラ５はネツトワーク１０を介して時刻同期信号Ｓ７が入力されるたびに、内蔵時計（後述する時計５Ｂ）の時刻をワークステーシヨン７の内蔵時計（後述する時計７Ｂ）の時刻に同期させ、２つの内蔵時計の間で時間のずれが生じないようになされている。このように内蔵時計の時刻を一致させたことにより、ビデオテープレコーダコントローラ５が取り込みを指示された編集点画像とワークステーシヨン７が取り込む編集点画像との間に時間的なずれが生じないようになされている。
スイツチヤ６は再生信号Ｓ１及びＳ２に対して簡単な特殊効果を掛けると共に、これらのうち１つを編集用再生信号Ｓ８としてワークステーシヨン７に出力するようになされている。因に編集用再生信号Ｓ８はデイスプレイ装置９にも出力される。ここでデイスプレイ装置９はユーザが編集点画像を選択できるよう再生動画像を表示するのに用いられ、各画像に付されたタイムコードも同時に表示するようになされている。
ワークステーシヨン７は前述のように時分割タスク型の処理装置でなる画像編集装置であり、編集点画像の取り込みが指示された時刻と編集点画像の取り込みを指示するコマンドが実際に処理される時刻とのずれが生じるが、取り込みの指示がなされた時点に対応する画像と時刻を正確に取り込めるようになされている。
ワークステーシヨン７は常に最新のフレーム画像から複数フレーム分過去に遡つた複数フレーム分の画像を格納するループバツフアメモリを有している。またワークステーシヨン７はユーザがおおよその見当で指定した編集点に対してより適切な編集点をユーザが設定し直すことができるようにするため、画像の取り込みが指示された時点を中心とする前後複数フレーム分の画像を格納する編集点候補画像用メモリを有している。
因に編集点候補画像用メモリに格納された編集点候補画像はデイスプレイ装置９の画面上に表示され、ユーザの選択に供されるようになされている。
またワークステーシヨン７はマウス７Ａを用いてデイスプレイ装置９の画面上に表示された複数の編集点候補画像９Ａ〜９Ｅの中から１つを選択できるようになされており、最終的に設定された編集点の情報を基に編集リストを作成するようになされている。
またワークステーシヨン７はこの編集リストを制御データＳ９としてネツトワーク１０を介して出力し、ビデオテープレコーダコントローラ５に与えるようになされている。
なお次項以降において引き続き、画像編集システム１を構成する各種装置のうちビデオテープレコーダコントローラ５及びワークステーシヨン７のより詳細な回路構成を説明する。
（１−２）ビデオテープレコーダコントローラの構成
図２にビデオテープレコーダコントローラ５の回路構成を示す。
ビデオテープレコーダコントローラ５は前述した時計５Ｂの他、ＣＰＵ５Ｃ、シンクジエネレータ５Ｄ、ＲＯＭ５Ｅ、ＲＡＭ５Ｆ及びインターフエース５Ｇによつてなる。
ここで時計５Ｂは内部回路にグリニツジ標準時刻を与えるものであり、ワークステーシヨン７に内蔵された時計の時刻に一致するよう周期的に同期処理が実行されるようになされている。
ＣＰＵ５Ｃは内部回路の動作を制御すると共に、インターフエース５Ｇ２を介して周辺機器（ビデオテープレコーダ２〜４及びスイツチヤ６）の動作を制御する。ここでＣＰＵ５ＣはＲＯＭ５Ｅ及びＲＡＭ５Ｆを用いてソフトウエアで定められた処理手順に基づいて各種処理を実行する。この処理手順を図３に示す。
ＣＰＵ５ＣはステツプＳＰ１から処理を開始すると、まずステツプＳＰ２において編集点画像の取り込み指示を与えるマークキーの押下操作があつたか否か判断する。
このとき肯定結果が得られると、ＣＰＵ５Ｃはユーザがデイスプレイ装置８に表示される動画像の中から編集点（編集開始点又は編集終了点）として用いたい画像を見つけたものと判断してステツプＳＰ３に移り、時計５Ｂから現在時刻を読み込む。
さらに続くステツプＳＰ４において、ＣＰＵ５Ｃはインターフエース５Ｇ２を介して制御信号Ｓ１０をスイツチヤ６に出力し、スイツチヤ６から現在出力されている編集用再生信号Ｓ８に付されているタイムコードの値を読み込む。このとき現在時刻が取り込まれるタイミングとタイムコードが読み込まれるタイミングとの間には１〜数クロツク分の時間差が生じるが、1/1000〔秒〕単位の値であるグリニツジ標準時間に対してタイムコードは1/100〔秒〕単位の値であるのでステツプＳＰ４で読み込まれる値はマークキーが押された時点の値となる。
このようにステツプＳＰ３及びステツプＳＰ４において、マークキーが押された時点の時刻及びタイムコードが読み込まれると、ＣＰＵ５ＣはステツプＳＰ５において、これら時間情報に編集開始点（ＩＮ点）と編集終了点（ＯＵＴ点）の区別を表す情報を制御コマンドＳ６として出力する。因にこの制御コマンドＳ６は後述するワークステーシヨン７の画像ドライバに転送される。
さてこれらステツプＳＰ３〜ステツプＳＰ５の処理が終わると、又はステツプＳＰ２において否定結果が得られると、ＣＰＵ５Ｃの処理はステツプＳＰ６に移る。
ここでＣＰＵ５Ｃは前回の同期処理から１０分経過したか否か判断する。このとき肯定結果が得られると、ＣＰＵ５ＣはステツプＳＰ７に移つて時計５Ｂの時刻をワークステーシヨン７に内蔵された時計の時刻に一致させるような同期処理を実行する。またこのときＣＰＵ５Ｃはシンクジエネレータ５Ｄを用いてビデオテープレコーダ２〜４及びスイツチヤ６の内蔵時計も時計５Ｂに同期させる。そしてこれら一連の処理終了後、ＣＰＵ５ＣはステツプＳＰ２に戻つて前述の処理動作を繰り返し実行する。
これに対して否定結果が得られた場合、ＣＰＵ５ＣはステツプＳＰ６からステツプＳＰ２に戻つて一連の動作を繰り返すよう動作するようになされている。
因にＣＰＵ５Ｃはワークステーシヨン７からネツトワーク１０を介して編集リストが取り込まれた場合には、この編集リストの内容に基づいてビデオテープレコーダ２〜４を制御するようになされている。
（１−３）ワークステーシヨンの構成
図４にワークステーシヨン７の回路構成を示す。
ワークステーシヨン７は前述した時計７Ｂの他、ＣＰＵ７Ｃ、Ａ／Ｄ変換回路７Ｄ、ドライバメモリ７Ｅ、ループバツフアメモリ７Ｆ、編集点候補画像用メモリ７Ｇ、及びインターフエース７Ｈによつてなる。
ここで時計７Ｂは内部回路及び周辺機器にグリニツジ標準時刻を与えるものであり、この画像編集システムにおいて原器として動作する。
ＣＰＵ７Ｃは時分割でマルチタスクを実行するワークステーシヨン７の中心回路であり、画像編集時には各種メモリへの画像データの取り込みを制御すると共に編集リストの作成を制御するようになされている。
例えばマウス７Ａ等のポインテイングデバイスにより編集点候補画像９Ａ〜９Ｅのうちの１つが選択された場合、ＣＰＵ７Ｃはこのクリツプ画像が編集開始点であるのかそれとも編集終了時刻であるのかを表す情報とそのタイムコードとを組として編集リストに記憶するようになされている。
またＣＰＵ７ＣはＡ／Ｄ変換回路７Ｄから入力されるフラグ信号Ｓ１１によつてスイツチヤ６からＡ／Ｄ変換回路７Ｄに入力された１フレーム分の画像信号がデイジタルデータに変換されたことを検出すると、ドライバメモリ７Ｅの画像ドライバ７Ｅ１を起動し、デイジタルデータへの変換の終わつた画像をクリツプ画像としてループバツフアメモリ７Ｆに順次転送させるようになされている。
画像ドライバ７Ｅ１が実行する処理手順を図５に示す。まず画像ドライバ７Ｅ１はステツプＳＰ１１から処理を開始すると、ステツプＳＰ１２において時計７Ｂの時刻を読み込むことによりクリツプ画像を取り込む時刻を読み込む。
続くステツプＳＰ１３に移ると、画像ドライバ７Ｅ１はループバツフアメモリ７Ｆに読込制御信号Ｓ１２を出力してクリツプ画像の取り込みを指示し、最も古い時点に取り込まれたクリツプ画像を最新のクリツプ画像で更新させるようになされている。このとき画像ドライバ７Ｅ１はクリツプ画像と先のステツプＳＰ１２で読み込んだグリニツジ標準時刻とを組にして記憶し、処理を終了させるようになされている。
ループバツフアメモリ７Ｆはフレームメモリを複数個直列接続した構成でなる。この実施例の場合、50〜60フレーム分のクリツプ画像を記憶できるようになされている。このようにバツフアメモリに約２〔秒〕分のクリツプ画像を格納しておくことにより制御コマンドＳ６で与えられる編集画像の取り込み時点と実際に取り込み処理が実行されるまでの時間差を吸収できるようになされている。
編集点候補画像用メモリ７Ｇはループバツフアメモリ７Ｆに一時格納されているクリツプ画像のうち編集点の設定に必要なクリツプ画像の取り込みに用いられる画像メモリであり、編集点としてユーザが指定した時刻のクリプ画像を中心として前後数十フレーム分のクリツプ画像を格納できるようになされている。
この編集点候補画像用メモリ７Ｇへのクリツプ画像の転送は転送タスクドライバ７Ｅ２によつて実行される。転送タスクドライバ７Ｅ２において実行される処理手順を図６に示す。
転送タスクドライバ７Ｅ２はステツプＳＰ２１から処理を開始すると、ステツプＳＰ２２に移り、編集点画像の取り込みを指示する制御コマンドＳ６が入力されたか否かを判断する。
このとき肯定結果が得られると、転送タスクドライバ７Ｅ２はステツプＳＰ２３に移り、編集点（編集開始点又は編集終了点）として取り込みの指示された時刻と同一時刻にＡ／Ｄ変換が終了したクリツプ画像をループバツフアメモリ７Ｆから検索する動作を開始する。
該当するクリツプ画像を見つけ出すと、転送タスクドライバ７Ｅ２はステツプＳＰ２４の処理において、見つけ出されたクリツプ画像を中心に前後数十フレーム分（例えば15フレーム）のクリツプ画像を編集点候補画像用メモリ７Ｇに転送する。
続いて転送タスクドライバ７Ｅ２は各クリツプ画像に付されているグリニツジ時刻に基づいてタイムコードの値を計算によりそれぞれ求め、各クリツプ画像に付加する。このとき転送タスクドライバ７Ｅ２は制御コマンドＳ６として送られてきたタイムコードを基に各クリツプ画像ごとにタイムコードを計算するようになされている。これは映像信号のフオーマツト（NTSC/PAL/SECAM/PALM等）の違いやドロツプフレームの存在によりタイムコードは必ずしも連続値とならないことによる。
このように各クリツプ画像についてのタイムコードが求められると、転送タスクドライバ７Ｅ２はこれらクリツプ画像を縮小サイズに変換した画像とタイムコードとを組みとする編集点候補画像９Ａ〜９Ｅをデイスプレイ装置９の画面上に表示され、一連の処理を終了するようになされている。
因にユーザから編集点画像の取り込み指示が与えられない間、すなわちステツプＳＰ２２において否定結果が得られる間は、これらの処理は実行されない。
また転送タスクドライバ７Ｅ２におけるこれら一連の処理はユーザが編集点画像の取り込みを指示するために繰り返し実行され、編集点候補画像用メモリ７Ｇの異なる領域上に記憶される。そしてこれら編集点候補画像９Ａ〜９Ｅは先に求めた編集点候補画像９Ａ〜９Ｅと同様、デイスプレイ装置９の画面上に表示される。因にデイスプレイ装置９の画面上にこれら複数の編集点候補画像を全て一度に表示しきれない場合には画面のスクロールにより表示できるようになされている。以上が転送タスクドライバ７Ｅ２による処理動作である。
（２）編集作業例
以上の構成において、画像編集システムを用いた編集作業例を説明する。ただしグリニツジ標準時刻は1/1000〔秒〕単位に設定されているものとする。
まず編集開始点を与えるクリツプ画像を設定する場合から説明する。
ユーザはデイスプレイ装置８の画面上に表示される動画像を見ながら編集意図に適合した画像の出現を待ち受け、意図に応じた画像の場面でキーボード５Ａに設けられたマークキーを押下する。
この瞬間のグリニツジ標準時刻が「１時10分10秒480/1000」であり、かつタイムコードが「０時40分40秒21番フレーム」であるとすると、ビデオテープレコーダコントローラ５のＣＰＵ５Ｃはこれら時間情報を制御コマンドＳ６としてワークステーシヨン７に出力する。
一方、ワークステーシヨン７ではこの画像のＡ／Ｄ変換処理を例えばグリニツジ標準時刻「１時10分10秒485/1000」に完了し、遅滞なくループバツフアメモリ７Ｆに取り込むものとすると、転送タスクドライバ７Ｅ２が制御コマンドＳ６で与えられたグリニツジ標準時刻「１時10分10秒480/1000」に基づいて該当するクリツプ画像をループバツフアメモリ７Ｆより検出し、これを中心フレームとする数十フレーム分のクリツプ画像を編集点候補画像用メモリ７Ｇに転送させる。
このとき転送タスクドライバ７Ｅ２は制御コマンドＳ６で与えられるタイムコード、すなわち「０時40分40秒21番フレーム」に基づいて前後数十フレーム分のクリツプ画像に付すべきタイムコードを生成する。
これらの計算が終了すると、デイスプレイ装置９の画面上にユーザが取り込みを指示した時刻のクリツプ画像を中心とする複数個の編集点候補画像９Ａ〜９Ｅが表示されるため、ユーザはマウス７Ａを操作してこれら複数の編集点候補画像９Ａ〜９Ｅの中から１つを選択するか、選択しようとするクリツプ画像に付されているタイムコードをキーボード等を用いて入力し、編集開始点のクリツプ画像を確定する。
因に画像を横方向にスクロールしても任意のクリツプ画像が表示されない場合には縦方向にスクロールして別の編集開始点を与える編集点候補画像９Ａ〜９Ｅを読み出し、編集開始点の設定作業を継続する。
同様にして編集終了点を与えるクリツプ画像も設定することができる。これら一連の作業によりユーザは編集点を設定することができる。
ところでこの構成のワークステーシヨン７において必要なデバイスは基本的に画像メモリだけであり、タイムコードはビデオテープレコーダコントローラ５から与えられるためタイムコードリーダ等のハードウエアは必要ない。
以上の構成によれば、ビデオテープレコーダコントローラ５に内蔵された時計５Ｂの時刻をワークステーシヨン７に内蔵された時計７Ｂの時刻に予め一致させておき、ユーザから編集点画像の取り込みが指示された場合には、ビデオテープレコーダコントローラ５から取り込み指示がなされた瞬間の時刻とタイムコードとをワークステーシヨン７に与えるようにしたことにより、ワークステーシヨン７が時計７Ｂの時刻に基づいて見つけ出す画像とユーザの意図する画像とを常に一致させることができる。
またワークステーシヨン７は、順次取り込まれるクリツプ画像に時刻を付してループバツフアメモリ７Ｆに記憶し、かつこれを一定期間の間保持するようにし、編集点画像の候補としての取り込みがユーザから指示された場合には、制御コマンドＳ６として与えられる時間情報を基に時刻の一致するクリツプ画像をループバツフアメモリ７Ｆより検索すると共に、このクリツプ画像を中心フレームとする前後数十フレームにタイムコードを付して画面上に表示するようにしたことにより、ワークステーシヨン７での処理時刻とユーザによる取り込み指示の発生時刻との時間的ずれによらず、常にユーザが意図したクリツプ画像を抽出して表示することができる。
また中心フレームを含む前後数十フレーム分のクリツプ画像が編集点候補画像として同一画面上に表示され、これらを比較しながら最終的な編集開始点及び編集終了点を設定できることにより、タイムコードの文字だけを頼りに編集作業を進める場合に比して視認性が向上し、編集作業の一段の効率化を図ることができる。
（３）他の実施例
なお上述の実施例においては、再生装置制御装置としてのビデオテープレコーダコントローラ５に内蔵される時計５Ｂの時刻をワークステーシヨン７に内蔵される時計７Ｂのグリニツジ標準時刻に同期させる場合について述べたが、本発明はこれに限らず、ビデオテープレコーダコントローラ５に内蔵される時計５Ｂの時刻とワークステーシヨン７に内蔵される時計７Ｂの時刻は他の基準時刻に同期させても良い。
また上述の実施例においては、画像処理装置としてワークステーシヨン７を用いる場合について述べたが、本発明はこれに限らず、タイムスライスごとにタスクを切り換えて実行させるＯＳ（Operating System）に基づいて動作する他の汎用コンピユータを用いる場合にも適用し得る。
さらに上述の実施例においては、映像信号を実時間処理する再生装置としてビデオテープレコーダ２〜４を用いる場合について述べたが、本発明はこれに限らず、磁気デイスク装置等の磁気再生装置や光磁気デイスク装置等の光デイスク装置、また半導体メモリを用いる再生装置等にも適用し得る。
さらに上述の実施例においては、制御コマンドＳ６をシリアル転送インターフエースを介して伝送する場合について述べたが、本発明はこれに限らず、ネツトワークを介して伝送させる場合にも適用し得る。
さらに上述の実施例においては、本発明を動画像の編集装置に用いる場合について述べたが、本発明はこれに限らず、１又は複数の再生装置で再生される画像信号のうち所定のタイムコードの間の動画像を画面上に表示する場合や投影装置を用いてスクリーン上に表示させる場合にも適用し得る。
産業上の利用可能性
本発明は実時間画像を扱う時分割タスク型の処理装置、例えばワークステーシヨンやパーソナルコンピユータ等の画像処理装置に適用し得る。
またこれら画像処理装置を用いて画像を編集する画像編集システムに適用し得る。
【図１】
0003671420.tif 000002
【図２】
0003671420.tif 000003
【図３】
0003671420.tif 000004
【図４】
0003671420.tif 000005
【図５】
0003671420.tif 000006
【図６】
0003671420.tif 000007
0003671420.tif 000008